(57)【要約】【課題】日常の生活の中で、高齢者、小さな子供などが、丼に付いているご飯粒、おかずなどをきれいに食べることができ、且つ、安定して丼を保持することができるように形成されている蓋つき丼を提供する。【解決手段】蓋つき丼１００は、丼本体１２の内面１２ａの一部または全部が凹凸面Ｔになるように形成されており、且つ、丼本体１２の外面１２ｂの一部または全部が凹凸面Ｔになるように形成されており、丼１０に付いているご飯粒、おかずなどをきれいに食べることができ、しっかりと手で保持することができるように形成されている。蓋２０は、１または複数の空気孔Ｋを有しており、蓋２０が抵抗なく簡易に丼本体１２から取り外すことができる。高台１３は、下方に向かって大きくなるような円錐台状に形成されており、手で持って丼１０を支えるときの把持が容易にできる。【選択図】図１
0003226324.tif 000002
【実用新案登録請求の範囲】
【請求項１】
米飯料理、汁物料理または麺料理を盛り付ける厚手の深さがある丼と、前記丼を覆う蓋を有する蓋つき丼であって、
前記丼は、前記米飯、汁物または麺料理を盛り付ける盛り口と、前記盛り口を開口とする丼本体と、前記丼本体を支える高台を有し、
前記蓋が、前記盛り口の開口を覆うように形成されており、
前記丼本体の内面の一部または全部が、凹凸面になるように形成されており、
前記丼本体の外面の一部または全部が、凹凸面になるように形成されていることを特徴とする蓋つき丼。
【請求項２】
前記蓋は、前記丼に接する部分に１または複数の空気孔を有することを特徴とする請求項１に記載の蓋つき丼。
【請求項３】
前記高台は、下方に向かって大きくなるような円錐台状であることを特徴と請求項２または請求項３に記載の蓋つき丼。
【請求項４】
合成樹脂、陶器、磁器、漆器、ガラス製、金属製、合成樹脂製または木製であることを特徴とする請求項１から請求項３のいずれかに記載の蓋つき丼。
【考案の詳細な説明】
【技術分野】
【０００１】
本考案は、蓋つき丼に関する。
【背景技術】
【０００２】
丼は、食器類として、主に米飯料理、汁物料理、麺料理などの丼物といわれる料理を盛り付ける厚手の深さのある食器であり、カツ丼、親子丼、天丼、鰻丼などのようにおかずをご飯のうえにかけた料理に用いるものとして普及している。
【先行技術文献】
【特許文献】
【０００３】
【特許文献１】実用新案登録第３１７９９８９号公報
【考案の概要】
【考案が解決しようとする課題】
【０００４】
上記のとおり、丼は、食器類として主に米飯料理、汁物料理、麺料理などの丼物といわれる料理を盛り付ける厚手の深さのある食器であり、高齢者などの手指の不自由な人たちも、丼を用いた食事を行っており、手を滑らせ熱い内容物をこぼすことのないものが求められていた。すなわち、丼に付いているご飯粒、おかずなどをきれいに食べることが求められていることに加え、しっかりと手で保持することができるものが求められていた。
【０００５】
本考案は、こうした点に鑑みてなされたものであり、日常の生活の中で、特に、高齢者、小さな子供などが、丼に付いているご飯粒、おかずなどをきれいに食べることができ、且つ、安定して丼を保持することができるように形成されている蓋つき丼を提供することである。
【課題を解決するための手段】
【０００６】
上記課題を解決するために、本考案に係る蓋つき丼は、米飯料理、汁物料理または麺料理を盛り付ける厚手の深さがある丼と、前記丼を覆う蓋を有する蓋つき丼であって、前記丼は、前記米飯、汁物または麺料理を盛り付ける盛り口と、前記盛り口を開口とする丼本体と、前記丼本体を支える高台を有し、前記蓋が、前記盛り口の開口を覆うように形成されており、
前記丼本体の内面の一部または全部が、凹凸面になるように形成されており、前記丼本体の外面の一部または全部が、凹凸面になるように形成されていることを特徴とする。
【０００７】
本考案に係る蓋つき丼の態様について、前記蓋は、前記丼に接する部分に１または複数の空気孔を有することが好ましい。
【０００８】
本考案に係る蓋つき丼の態様について、前記高台は、下方に向かって大きくなるような円錐台状であることが好ましい。
【０００９】
本考案に係る蓋つき丼の態様について、合成樹脂、陶器、磁器、漆器、ガラス製、金属製、合成樹脂製または、木製であることが好ましい。
【考案の効果】
【００１０】
本考案によれば、日常の生活の中で、特に、高齢者、小さな子供などが、丼に付いているご飯粒、おかずなどをきれいに食べることができ、且つ、安定して丼を保持することができるように形成されている蓋つき丼を提供することができる。
【図面の簡単な説明】
【００１１】
【図１】実施形態の蓋つき丼の一例を示す斜視図である。
【図２】実施形態の蓋つき丼の一例を示す模式図である。
【図３】実施形態の蓋つき丼の丼を上から見た模式図である。
【図４】実施形態に蓋つき丼の蓋を説明する模式図である。
【考案を実施するための形態】
【００１２】
以下、本考案の蓋つき丼の実施形態を、図１及び図２を用いて説明する。図１は、本考案の蓋つき丼の一例である蓋つき丼１００を示す斜視図であり丼１０の内面１２ａと外面１２ｂに凹凸面Ｔが設けられていることを示している。図２は、蓋つき丼１００を正面から見た模式図であり丼１０の外面１２ｂに凹凸面Ｔが設けられていることを示している。図３は、蓋つき丼１００の丼１０を上から見た模式図であり、内面１２ｂに凹凸面Ｔが設けられていることを示している。図４（ａ）は、蓋つき丼１００の蓋２０を横から見た模式図であり、図４（ｂ）は、蓋２０を下から見た模式図であり空気孔Ｋが設けられていることを示している。なお、本考案における凹凸加工面とは、一般的に樹脂などの部材に凹凸を設ける加工であるが、表面処理においてシボ加工を用いて凹凸を有するしわを形成してもよく、また浮き彫りにする加工でもよく、適宜最適な方法で実施することができる。また、本考案の蓋つき丼１００は、プラスチックなどの合成樹脂、陶器、磁器、漆器、ガラス製、金属製、木製などであるが、これらに限定されず適宜最適な部材を選択することができる。さらに、実施形態の蓋つき丼１００は、一般的な丼であり、大きさ形状など種々のものがあり限定されるものではない。
【００１３】
蓋つき丼１００は、米飯料理、汁物料理、麺料理などを盛り付ける厚手の深さがある丼１０と蓋２０を有しており、蓋つき丼１００は、上記のとおり一般的には、カツ丼、親子丼、天丼、鰻丼などのようにおかずをご飯のうえにかけた料理に用いられるものである。
【００１４】
丼１０は、米飯、汁物、麺料理などを盛り付ける盛り口１１と、盛り口１１を開口とする丼本体１２と、丼本体１２を支える高台１３を有しており、蓋２０は、盛り口１１の開口を覆うように形成されている。
【００１５】
丼１０は、丼本体１２の内面１２ａの一部または全部が、凹凸面Ｔになるように形成されており、且つ、丼本体１２の外面１２ｂの一部または全部が、凹凸面Ｔになるように形成されている。
【００１６】
このような構成を有する蓋つき丼１００は、高齢者などの手指の不自由な人たちにおいても、丼を用いた食事で手を滑らせ熱い内容物をこぼさないようにすることができ、丼に付いているご飯粒、おかずなどをきれいに食べることができる、また、しっかりと手で保持することができる優れたものである。
【００１７】
また、蓋２０は、丼１０に接する部分に１または複数の空気孔Ｋを有しており、この例においては、４つの空気孔Ｋを有している構成である。この空気孔Ｋは、蓋２０の上方からは見えないように形成されており、美感を損なわないような構成となっており、蓋２０を用いて丼本体１２の内部の料理が覆われている場合に、この空気孔Ｋを有することにより、蓋２０が抵抗なく簡易に丼本体１２から取り外すことができる構成となっている。
【００１８】
高台１３は、下方に向かって大きくなるような円錐台状に形成されている。このように形成されていることで、高台を手で持って丼１０を支えるときの把持が容易にできる構成となっている。
【００１９】
また、蓋つき丼１００の材質は、合成樹脂、陶器、磁器、漆器、ガラス製、金属製、合成樹脂製、木製などを用いることができ、適宜最適な材質を採用すればよい。
【００２０】
上記の実施形態の蓋つき丼１００は、この例において、図に示すとおり丼本体１２のご飯やてんぷらなどのおかずが盛りつけられる内面１２ａの一部が、凹凸面Ｔになるように形成されており、さらに、手で把持する部分である丼本体１２の外面１２ｂの一部が、凹凸面Ｔになるように形成されている。
【００２１】
このような構成の蓋つき丼１００は、内面１２ａに設けられている凹凸面Ｔにより米粒、おかずなどの付着を防ぐことがでる。また、外面１２ｂに設けられている凹凸面Ｔにより手の滑り止めという効果を有している。
【００２２】
すなわち、丼１０の外面１２ｂの一部又は全部に形成された凹凸面Ｔによる手の滑り止め効果により、食器類を強く掴むことなく、手からの食器類の離脱を防ぐことができ、使用の安全性、利便性及び快適性を高めることができる。さらに、上記のとおり高台１３の構成が下方に向かい広がっており指を挟みやすくなっており、丼１０を扱い易くしているという効果を有している。なお、凹凸面Ｔの形状は、実施例において半円状の突起であるが、これに限定されず大きさを含め適宜最適なものにすればよい。なお、本考案の蓋つき丼は、高齢者などにおいて安心して使用することができる丼として、安心丼という名称での使用が望まれている。
【００２３】
以上、本考案の有する特徴及び優れた点を上記実施形態に記載したが、本考案は、本願の実用新案登録請求の範囲で使用されている言葉を広く一般的な意味に拡張して実施することができる。
【００２４】
また、本考案の蓋つき丼は、大きさや形状、素材の種類、厚さ、重さなどについては多様な実施形態が可能であり、それらについて本実施形態と異なる形態による実施は、本考案の技術的範囲に含まれる。
【符号の説明】
【００２５】
１００  蓋つき丼
１０    丼
１１    盛り口
１２    丼本体
１２ａ  内面
１２ｂ  外面
１３    高台
２０    蓋
Ｔ      凹凸面
Ｋ      空気孔
【図１】
0003226324.tif 000003
【図２】
0003226324.tif 000004
【図３】
0003226324.tif 000005
【図４】
0003226324.tif 000006
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
米飯料理、汁物料理または麺料理を盛り付ける厚手の深さがある丼と、前記丼を覆う蓋を有する蓋つき丼であって、
前記丼は、前記米飯、汁物または麺料理を盛り付ける盛り口と、前記盛り口を開口とする丼本体と、前記丼本体を支える高台を有し、
前記蓋が、前記盛り口の開口を覆うように形成されており、
前記丼本体の内面の一部または全部が、凹凸面になるように形成されており、
前記丼本体の外面の一部または全部が、凹凸面になるように形成されていることを特徴とする蓋つき丼。
【請求項２】
前記蓋は、前記丼に接する部分に１または複数の空気孔を有することを特徴とする請求項１に記載の蓋つき丼。
【請求項３】
前記高台は、下方に向かって大きくなるような円錐台状であることを特徴と請求項１または請求項２に記載の蓋つき丼。
【請求項４】
合成樹脂、陶器、磁器、漆器、ガラス製、金属製、合成樹脂製または木製であることを特徴とする請求項１から請求項３のいずれかに記載の蓋つき丼。